(57)【要約】【課題】延長トレイを追加することなく、原稿あるいは用紙の落下を良好に抑制することができる画像形成装置を提供する。【解決手段】印刷またはスキャンの対象物を排出する原稿排出トレイ１３または用紙排出トレイ１４と、原稿排出トレイ１３または用紙排出トレイ１４の対象物の排出方向の端部に設けられた操作パネル２０または３０であって、対象物が原稿排出トレイ１３または用紙排出トレイ１４からはみ出した場合に、操作を行う操作面とは異なる部分が原稿排出トレイ１３または用紙排出トレイ１４からはみ出した部分に接して、対象物の排出方向の移動を規制する操作パネル２０または３０とを有する。【選択図】図４
2016000636.tif 000002
【特許請求の範囲】
【請求項１】
印刷またはスキャンの対象物を排出する排出トレイと、
前記排出トレイの前記対象物の排出方向の端部に設けられた操作パネルであって、前記対象物が前記排出トレイからはみ出した場合に、操作を行う操作面とは異なる部分が前記対象物の前記排出トレイからはみ出した部分に接して、前記対象物の前記排出方向の移動を規制する操作パネルとを有する、
画像形成装置。
【請求項２】
前記操作パネルは、表面に前記操作面が設けられた直方体状のパネルであり、
前記操作パネルは、前記操作面が前記排出トレイの表面に対して傾けられ、かつ、一部が前記排出トレイの表面から上側に飛び出すように配置されており、
前記操作パネルの前記排出トレイの表面から上側に飛び出した部分を用いて、前記対象物の前記排出方向の移動を規制する、
請求項１に記載の画像形成装置。
【請求項３】
前記操作パネルは、第一姿勢と第二姿勢との間で姿勢を変更可能に構成され、
前記第一姿勢は、前記操作面が前記排出トレイに対して傾きを有し、前記対象物の前記排出方向の移動を規制する姿勢であり、
前記第二姿勢は、前記操作面が前記排出トレイの表面と平行になる姿勢である、
請求項２に記載の画像形成装置。
【請求項４】
前記操作パネルは、前記排出トレイに平行かつ前記排出方向に直交する方向に平行な回転軸を中心として回動するように構成されている、
請求項３に記載の画像形成装置。
【請求項５】
前記操作パネルは、
表面に前記操作面が設けられた板状部材で構成され、前記排出トレイの表面に対して傾けられた第一パネルと、
前記排出トレイから前記排出方向に延びる板状部材で構成され、前記排出方向の端部に前記第一パネルが接続された第二パネルとを有し、
前記第二パネルの表面により、前記対象物の前記排出方向の移動を規制する、
請求項１に記載の画像形成装置。
【請求項６】
前記第一パネルは、第一姿勢と第二姿勢との間で姿勢を変更可能に構成され、
前記第一姿勢は、前記操作面が前記排出トレイに対して傾きを有する姿勢であり、
前記第二姿勢は、前記操作面が前記排出トレイの表面と平行になる姿勢である、
請求項５に記載の画像形成装置。
【請求項７】
前記操作パネルは、さらに、前記第一パネルの側面と前記第二パネルの側面との間に配置され、前記第一姿勢において前記第一パネルを支持する支持部材を有し、
前記第一パネルは、前記第一パネルと前記第二パネルとの接続部に位置する回転軸であって、前記排出トレイに平行かつ前記排出方向に直交する方向に平行な回転軸を中心として回動するように構成され、
前記第二姿勢では、前記第一パネルの裏面と前記第二パネルの表面とが接する、
請求項６に記載の画像形成装置。
【請求項８】
前記操作パネルは、当該画像形成装置の制御に必要な情報を表示する表示パネル、および、前記画像形成装置の制御を行う操作部とを備えている、
請求項１〜７の何れか１項に記載の画像形成装置。
【発明の詳細な説明】
【技術分野】
【０００１】
本発明は、画像形成装置に関する。
【背景技術】
【０００２】
複写機あるいは複合機等、原稿のスキャンおよび用紙への印刷を行う画像形成装置には、Ａ４あるいはＢ４等のサイズの原稿および用紙だけでなく、リーガルサイズ（８．５×１４インチ）等のサイズの原稿および用紙を用いることができる装置がある。なお、以下の説明では、印刷の対象となる用紙およびスキャンの対象となる原稿をまとめて適宜「対象物」と称する。
【０００３】
上述した画像形成装置では、リーガルサイズのように長手方向の長さが大きい原稿を読み込む場合、原稿が原稿排出トレイから落ちてしまう場合があるという問題がある。同様に、上述した画像形成装置では、印刷後の用紙が用紙排出トレイから落ちてしまう場合があるという問題がある。
【０００４】
原稿あるいは用紙が排出トレイから落下するのを抑制するための技術として、例えば、排紙トレイを延長する延長トレイを設けた画像形成装置が開示されている（例えば、特許文献１参照）。
【０００５】
図１３は、延長トレイを利用する画像形成装置の一例を示す斜視図である。図１３では、画像形成装置の一例として、複合機１００を示している。図１３に示すように、複合機１００は、ＡＤＦ（Ａｕｔｏ  Ｄｏｃｕｍｅｎｔ  Ｆｅｅｄｅｒ）部１１１と、原稿供給トレイ１１２と、原稿排出トレイ１１３と、用紙排出トレイ１１４と、用紙供給トレイ１１５と、延長トレイ１１６および１１７とを備えている。ＡＤＦ部１１１は、原稿供給トレイ１１２に載せられた複写元の原稿を自動的に送る。
【０００６】
原稿排出トレイ１１３に延長トレイ１１６を追加的に設置することで、トレイ上に保持できる原稿の長さを大きくすることができ、原稿が落下するのを効果的に抑制することが可能になる。同様に、用紙排出トレイ１１４に延長トレイ１１７を追加的に設置することで、用紙が落下するのを効果的に抑制することが可能になる。
【先行技術文献】
【特許文献】
【０００７】
【特許文献１】特開２００７−２４６２８１号公報
【発明の概要】
【発明が解決しようとする課題】
【０００８】
しかしながら、上記特許文献１に記載の画像形成装置では、延長トレイとして追加的な部材が必要になるという問題がある。
【０００９】
本発明は上述の課題を解決するためになされたものであり、延長トレイを追加することなく、原稿あるいは用紙の落下を良好に抑制することができる画像形成装置を提供することを目的とする。
【課題を解決するための手段】
【００１０】
上記目的を達成するために、本発明の一態様に係る画像形成装置は、印刷またはスキャンの対象物を排出する排出トレイと、前記排出トレイの前記対象物の排出方向の端部に設けられた操作パネルであって、前記対象物が前記排出トレイからはみ出した場合に、操作を行う操作面とは異なる部分が前記対象物の前記排出トレイからはみ出した部分に接して、前記対象物の前記排出方向の移動を規制する操作パネルとを有する。
【００１１】
上記構成の画像形成装置は、操作パネルの操作面とは異なる部分を対象物のストッパとして用いるので、操作性を損なうことがない。さらに、上記構成の画像形成装置は、延長トレイを追加することなく、対象物（原稿または用紙等）の落下を良好に抑制することが可能になる。
【００１２】
例えば、前記操作パネルは、表面に前記操作面が設けられた直方体状のパネルであり、前記操作パネルは、前記操作面が前記排出トレイの表面に対して傾けられ、かつ、一部が前記排出トレイの表面から上側に飛び出すように配置されており、前記操作パネルの前記排出トレイの表面から上側に飛び出した部分を用いて、前記対象物の前記排出方向の移動を規制しても良い。
【００１３】
上記構成の画像形成装置は、操作パネルの排出トレイの表面から上側に飛び出した部分により、排出された対象物の先端を持ち上げるので、対象物の落下を良好に抑制することが可能になる。
【００１４】
また、前記操作パネルは、第一姿勢と第二姿勢との間で姿勢を変更可能に構成され、前記第一姿勢は、前記操作面が前記排出トレイに対して傾きを有し、前記対象物の前記排出方向の移動を規制する姿勢であり、前記第二姿勢は、前記操作面が前記排出トレイの表面と平行になる姿勢であっても良いし、前記操作パネルは、前記排出トレイに平行かつ前記排出方向に直交する方向に平行な回転軸を中心として回動するように構成されていても良い。
【００１５】
上記構成の画像形成装置は、排出方向に直交する方向に平行な回転軸を中心として回動するので、姿勢の変更および姿勢の変更にかかる構成を簡易にできる。
【００１６】
また、前記操作パネルは、表面に前記操作面が設けられた板状部材で構成され、前記排出トレイの表面に対して傾けられた第一パネルと、前記排出トレイから前記排出方向に延びる板状部材で構成され、前記排出方向の端部に前記第一パネルが接続された第二パネルとを有し、前記第二パネルの表面により、前記対象物の前記排出方向の移動を規制しても良い。
【００１７】
上記構成の画像形成装置は、第二パネルの表面で排出トレイからはみ出した対象物を支えるので、対象物の落下を良好に抑制することが可能になる。
【００１８】
また、前記第一パネルは、第一姿勢と第二姿勢との間で姿勢を変更可能に構成され、前記第一姿勢は、前記操作面が前記排出トレイに対して傾きを有する姿勢であり、前記第二姿勢は、前記操作面が前記排出トレイの表面と平行になる姿勢であっても良いし、前記操作パネルは、さらに、前記第一パネルの側面と前記第二パネルの側面との間に配置され、前記第一姿勢において前記第一パネルを支持する支持部材を有し、前記第一パネルは、前記第一パネルと前記第二パネルとの接続部に位置する回転軸であって、前記排出トレイに平行かつ前記排出方向に直交する方向に平行な回転軸を中心として回動するように構成され、前記第二姿勢では、前記第一パネルの裏面と前記第二パネルの表面とが接しても良い。
【００１９】
上記構成の画像形成装置は、第二姿勢において、第一パネルを第二パネルに重ねることができる。
【００２０】
また、前記操作パネルは、当該画像形成装置の制御に必要な情報を表示する表示パネル、および、前記画像形成装置の制御を行う操作部とを備えていても良い。
【発明の効果】
【００２１】
本発明によると、延長トレイを追加することなく、原稿あるいは用紙の落下を良好に抑制することができる。
【図面の簡単な説明】
【００２２】
【図１】実施の形態１における複合機の外観の一例を示す斜視図である。
【図２】実施の形態１における複合機の外観の一例を示す斜視図である。
【図３】実施の形態１における操作パネルの構成の一例を示す斜視図である。
【図４】実施の形態１における操作パネルの構成の一例を示す斜視図である。
【図５】実施の形態２における複合機の外観の一例を示す斜視図である。
【図６】実施の形態２における複合機の外観の一例を示す斜視図である。
【図７】実施の形態３における複合機の外観の一例を示す斜視図である。
【図８】実施の形態３における複合機の外観の一例を示す斜視図である。
【図９】実施の形態３における複合機の外観の一例を示す斜視図である。
【図１０】実施の形態３における操作パネルの構成の一例を示す斜視図である。
【図１１】実施の形態４における複合機の外観の一例を示す斜視図である。
【図１２】実施の形態４における複合機の外観の一例を示す斜視図である。
【図１３】延長トレイを利用する画像形成装置の一例を示す斜視図である。
【発明を実施するための形態】
【００２３】
以下、本発明の実施の形態について、図面を用いて詳細に説明する。なお、各図は、必ずしも各寸法あるいは各寸法比等を厳密に図示したものではない。
【００２４】
また、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
本実施の形態の画像形成装置について、図１〜図４を基に説明する。なお、本実施の形態では、画像形成装置が複合機である場合を例に説明するが、これに限られるものではない。複写機、スキャナ等、他の画像形成装置であっても構わない。本実施の形態では、後述する操作パネルを利用して、排出された原稿あるいは用紙の保持を行う。原稿および用紙は、印刷またはスキャンの対象物の一例である。
【００２６】
［１−１．複合機の全体構成］
図１および図２は、本実施の形態における複合機１０Ａの外観の一例を示す斜視図である。図３および図４は、本実施の形態における操作パネルの構成の一例を示す斜視図である。図３では、説明のため、操作パネル２０を複合機１０Ａから外した状態を示している。また、図４は、図３とは反対側から複合機１０Ａを見たときの図である。
【００２７】
図１〜図４に示すように、複合機１０Ａは、ＡＤＦ部１１、原稿供給トレイ１２、原稿排出トレイ１３、用紙排出トレイ１４、複数の用紙供給トレイ１５、切り欠き部１６、軸受部１７ａおよび１７ｂ、扇形スリット１９ａおよび１９ｂ、および、操作パネル２０を備えている。
【００２８】
ＡＤＦ部１１は、原稿供給トレイ１２に載せられた原稿を自動的に、原稿に表された画像を光学的に読み取るスキャン部（図示せず）に送る装置である。原稿供給トレイ１２は、複写対象（スキャン対象）の原稿をセットするトレイである。
【００２９】
原稿排出トレイ１３は、排出トレイの一例であり、スキャンされた後の原稿が排出される。原稿排出トレイ１３の原稿の排出方向Ｄ１は、本実施の形態では、Ｙ軸の正の方向となっている。原稿排出トレイ１３は、原稿を載せる面がＸＹ平面に平行になるように配置されている。
【００３０】
用紙排出トレイ１４は、排出トレイの一例であり、印刷後の用紙が排出される。用紙排出トレイ１４の用紙の排出方向は、本実施の形態では、Ｙ軸に直交するＸ軸の負の方向である。用紙排出トレイ１４は、用紙を載せる面がＸＹ平面に平行になるように配置されている。
【００３１】
複数の用紙供給トレイ１５は、印刷を行う用紙を予めストックしておくためのトレイであり、サイズ別に用紙をストックできるように構成されている。印刷動作時において、複合機１０Ａは、選択された用紙供給トレイ１５にストックされた用紙を印刷部（図示せず）に送り、印刷部において用紙に印刷を行う。複合機１０Ａは、印刷後の用紙を用紙排出トレイ１４に排出する。
【００３２】
複数の用紙供給トレイ１５は、本実施の形態では、操作パネル２０が設けられている側に引き出せるように設けられている。つまり、ユーザは、操作パネル２０を操作するときの立ち位置において、用紙の供給が行えるようになっている。
【００３３】
切り欠き部１６は、図３に示すように、後述する操作パネル２０の上半分が収納される空間であり、原稿排出トレイ１３の原稿の排出方向の端部に設けられている。切り欠き部１６は、直方体状に形成されている。なお、切り欠き部１６のＸ軸方向の長さは、操作パネル２０のＸ軸方向の長さと同じであり、複合機１０ＡのＸ軸方向の長さよりも小さい。本実施の形態において、切り欠き部１６のＸ軸方向の位置は、複合機１０Ａの原稿排出トレイ１３のＸ軸に平行な辺の略中央である。切り欠き部１６のＺ軸方向の長さは、操作パネル２０のＺ軸方向の長さと同じである。切り欠き部１６のＹ軸方向の長さは、操作パネル２０のＹ軸方向の長さの半分程度である。
【００３４】
軸受部１７ａおよび１７ｂは、後述する操作パネル２０の回動部２５および２６を回動可能に支持する。
【００３５】
軸受部１７ａは、先端が半円状に形成された長尺状の板状の部材で構成されている。軸受部１７ａは、先端に円形の孔１８ａが形成されている。孔１８ａには、後述する操作パネル２０の円柱状の回動部２５が嵌め込まれる。孔１８ａの直径は、回動部２５の直径と略同じ、あるいは僅かに大きくなっている。軸受部１７ａは、切り欠き部１６のＹＺ平面に平行な２つの側面のうち、Ｘ軸の正の側に位置する側面１６ａに接続されている。より詳細には、軸受部１７ａは、孔１８ａが側面１６ａの外側に突出するように、板状の部材の他端側が側面１６ａに貼り付けられている。
【００３６】
軸受部１７ｂは、軸受部１７ａと同じ形状を有している。軸受部１７ｂの先端に形成された孔１８ｂには、後述する操作パネル２０の円柱状の回動部２６が嵌め込まれる。孔１８ｂの直径は、回動部２６の直径と略同じ、あるいは僅かに大きくなっている。軸受部１７ｂは、切り欠き部１６のＹＺ平面に平行な２つの側面のうち、Ｘ軸の負の側に位置する側面１６ｂに接続されている。より詳細には、軸受部１７ｂは、孔１８ｂが側面１６ｂの外側に突出するように、板状の部材の他端側が側面１６ｂに貼り付けられている。
【００３７】
なお、軸受部１７ａの孔１８ａの中心と軸受部１７ｂの孔１８ｂの中心とを結ぶ軸Ａ０は、本実施の形態では、原稿の排出方向Ｄ１に直交するＸ軸に平行な軸となっている。
【００３８】
扇形スリット１９ａは、後述する操作パネル２０の回動部２７の移動を規定するスリットである。扇形スリット１９ａは、切り欠き部１６の側面１６ａに形成された円弧状のスリットであり、回動部２７が嵌め込まれる。回動部２７は、扇形スリット１９ａを任意に移動できる。扇形スリット１９ａの幅は、回動部２７の直径より僅かに大きい。
【００３９】
扇形スリット１９ｂは、後述する操作パネル２０の回動部２８の移動を規定するスリットである。扇形スリット１９ｂは、切り欠き部１６の側面１６ｂに形成された円弧状のスリットであり、回動部２８が嵌め込まれる。回動部２８は、扇形スリット１９ｂを任意に移動できる。扇形スリット１９ｂの幅は、回動部２８の直径より僅かに大きい。
【００４０】
孔１８ａおよび１８ｂに操作パネル２０の回動部２５および２６を通すことにより、操作パネル２０は、軸Ａ０を回転軸として回転可能になる。さらに、扇形スリット１９ａおよび１９ｂに操作パネル２０の回動部２７および２８を通すことにより、操作パネル２０の移動を制御することが可能になる。
【００４１】
［１−２．操作パネルの構成］
操作パネル２０は、複合機１０Ａの制御、例えば、スキャナの設定、印刷の設定、印刷の実行等の操作を行うパネルである。スキャナの設定には、例えば、原稿の読み取りを行う際の解像度等が含まれる。また、印刷の設定には、用紙サイズ、用紙供給トレイ１５の選択、割り付け、拡大縮小、あるいは、印刷枚数等が含まれる。
【００４２】
操作パネル２０は、本実施の形態では、原稿排出トレイ１３の原稿の排出方向の端部に設けられた切り欠き部１６に配置されている。
【００４３】
操作パネル２０は、図１および図２に示すように、第一姿勢と第二姿勢との間で姿勢を変更可能に構成されている。図１は第二姿勢を示しており、操作面２１が原稿排出トレイ１３の表面と平行になっている。図２は第一姿勢を示しており、操作面２１が原稿排出トレイ１３の表面に対して傾けられている。第一姿勢では、操作パネル２０の一部が原稿排出トレイ１３の表面から上側に飛び出している。より具体的には、第一姿勢では、操作パネル２０のうち、操作面２１の一部、および、操作面２１の上辺に接する支持面２２の一部が原稿排出トレイ１３の表面から上側に飛び出している。
【００４４】
操作パネル２０は、図１〜図４に示すように、表面が矩形状の直方体状のパネルである。操作パネル２０は、操作面２１と、支持面２２と、側面２３および２４と、回動部２５、２６、２７および２８とを備えている。
【００４５】
操作面２１は、操作パネル２０の表面を構成し、図示しないが、タッチパネル（タッチセンサが組み込まれた表示パネル）、および、物理的に設けられた複数の操作ボタンが設けられている。タッチパネルに表示された複数の操作ボタンおよび物理的に設けられた操作ボタンが操作部となる。タッチパネルには、複合機１０Ａの制御に必要な情報、例えば、スキャナの設定、印刷の設定に関する情報、および、操作ボタンが表示される。タッチパネル上の操作ボタンあるいは複数の操作ボタンを押すことにより、印刷の設定等を行うことができる。
【００４６】
支持面２２は、操作面２１の上辺に接する面である。支持面２２は、第二姿勢では、図１に示すように、切り欠き部１６の内部に位置している。支持面２２は、本実施の形態では、操作パネル２０の姿勢が第二姿勢から第一姿勢に変更されると、図４に示すように、切り欠き部１６の内部から上方に移動する。支持面２２は、本実施の形態では、第一姿勢では、一部が原稿排出トレイ１３の表面から上側に飛び出している。このとき、原稿排出トレイ１３の表面と支持面２２との角度（原稿が当接する側の角度）は鈍角になるように設計されている。このように設計することで、原稿排出トレイ１３に排出された原稿は、端部が支持面２２に乗り上げて上に向くことになるので、原稿の落下を良好に抑制できる。
【００４７】
本実施の形態では、さらに、操作パネル２０の第二姿勢から第一姿勢への変更において、支持面２２の全部が飛び出さないように、扇形スリット１９ａおよび１９ｂ（図１〜図３参照）により操作パネル２０の回動量を規制している。このように構成することで、原稿の支持面２２への乗り上げがスムーズになる。
【００４８】
回動部２５および回動部２７は、操作面２１の側辺の一方に接する側面２３から、外側に向けて延びる円柱状部材である。回動部２５および２７は、円柱状部材の底面が側面２３に接続されている。同様に、回動部２６および２８は、操作面２１の側辺の他方に接する側面２４から、外側に向けて延びる円柱状部材である。回動部２６および２８は、円柱状部材の底面が側面２３に接続されている。
【００４９】
回動部２５および２６は、図３に示すように、円柱状部材の軸が、操作パネル２０の重心付近を通る軸Ａ１に重なるように配置されている。回動部２５および２６を軸受部１７ａおよび１７ｂの孔１８ａおよび１８ｂに嵌め込むと、軸Ａ１が軸Ａ０に重なる。これにより、操作パネル２０は、軸Ａ１（軸Ａ０）を回転軸として回転できる。
【００５０】
回動部２７および回動部２８は、扇形スリット１９ａおよび１９ｂ内を円弧状に移動する。
【００５１】
図１に示すように、第二姿勢では、回動部２７および回動部２８は扇形スリット１９ａおよび１９ｂの下側に位置する。
【００５２】
図２に示すように、第一姿勢では、回動部２７および回動部２８は扇形スリット１９ａおよび１９ｂの上側に位置する。
【００５３】
［１−３．効果等］
本実施の形態の複合機１０Ａは、操作パネル２０の操作面２１の上辺に接する支持面２２により、原稿排出トレイ１３に排出された原稿の端部を上側に向けるので、原稿の落下を良好に抑制できる。また、本実施の形態の複合機１０Ａは、操作パネル２０の支持面２２を利用するため、延長トレイが必要なくなる。
【００５４】
（実施の形態２）
本実施の形態の画像形成装置について、図５および図６を基に説明する。本実施の形態では、実施の形態１と同様に、画像形成装置が複合機である場合を例に説明するが、これに限られるものではない。実施の形態１では、操作パネル２０が原稿排出トレイ１３に取り付けられている場合について説明したが、本実施の形態では、操作パネル２０が用紙排出トレイ１４に取り付けられている場合について説明する。
【００５５】
図５および図６は、本実施の形態における複合機１０Ｂの外観の一例を示す斜視図である。
【００５６】
複合機１０Ｂは、図５および図６に示すように、複数の用紙供給トレイ１５および操作パネル２０の位置が異なる点を除き、実施の形態１と同じ構成である。
【００５７】
複数の用紙供給トレイ１５は、操作パネル２０を操作するときの立ち位置において、用紙の供給が行えるように、操作パネル２０と同じ側に設けられている。本実施の形態では、複数の用紙供給トレイ１５は、複合機１０Ｂにおいて用紙の排出方向Ｄ２側に引き出せるように設けられている。
【００５８】
操作パネル２０は、上述したように、本実施の形態では、用紙排出トレイ１４の排出方向Ｄ２の端部に設けられている。操作パネル２０の各構成は、実施の形態１と同じである。
【００５９】
このように構成することにより、本実施の形態の複合機１０Ｂは、実施の形態１と同様に、操作パネル２０の操作面２１の上辺に接する支持面２２により、用紙排出トレイ１４に排出された原稿の端部を上側に向けるので、原稿の落下を良好に抑制できる。また、本実施の形態の複合機１０Ｂは、実施の形態１と同様に、操作パネル２０の支持面２２を利用するため、延長トレイが必要なくなる。
【００６０】
（実施の形態３）
本実施の形態の画像形成装置について、図７〜図１０を基に説明する。なお、本実施の形態では、実施の形態１と同様に、画像形成装置が複合機である場合を例に説明するが、これに限られるものではない。
【００６１】
図７〜図９は、本実施の形態における複合機１０Ｃの外観の一例を示す斜視図である。
【００６２】
図７〜図９に示すように、複合機１０Ｃは、ＡＤＦ部１１、原稿供給トレイ１２、原稿排出トレイ１３、用紙排出トレイ１４、複数の用紙供給トレイ１５、および、操作パネル３０を備えている。なお、ＡＤＦ部１１、原稿供給トレイ１２、原稿排出トレイ１３、用紙排出トレイ１４および複数の用紙供給トレイ１５の構成は、実施の形態１と同じである。
【００６３】
［３−１．操作パネルの構成］
操作パネル３０は、実施の形態１と同様に、スキャナの設定、印刷の設定、印刷の実行等の操作を行うパネルである。
【００６４】
操作パネル２０は、本実施の形態では、実施の形態１と同様に、原稿排出トレイ１３の原稿の排出方向の端部に設けられている。
【００６５】
操作パネル２０は、図７〜図９に示すように、第一姿勢と第二姿勢との間で姿勢を変更可能に構成されている。図７は第二姿勢を示しており、操作面３１ａが原稿排出トレイ１３の表面と平行になっている。図８および図９は第一姿勢を示しており、操作面３１ａが原稿排出トレイ１３の表面に対して傾けられている。本実施の形態では、第一姿勢において、操作面３１ａと原稿排出トレイ１３との角度は鋭角（０〜９０度）に設定されている。
【００６６】
図１０は、本実施の形態における操作パネルの構成の一例を示す斜視図である。図１０は、図７〜図９とは反対側から複合機１０Ｃを見たときの図である。
【００６７】
操作パネル３０は、図７〜図１０に示すように、表面が矩形状の直方体状のパネルである。操作パネル３０は、第一パネル３１と、第二パネル３２と、支持部材３３および３４とを備えている。
【００６８】
第一パネル３１および第二パネル３２は、軸Ｂ１を回転軸として回動可能に接続されており、第二姿勢では、第一パネル３１の裏面と第二パネル３２の表面とが接するように折り畳まれる。また、第一パネル３１および第二パネル３２は、第一姿勢では、第一パネル３１の裏面が第二パネル３２の表面から離間する。軸Ｂ１は、原稿排出トレイ１３の表面に対し平行かつ原稿の排出方向に対し垂直に交わる。
【００６９】
第一パネル３１は、表面に操作面３１ａが設けられた直方体状のパネルであり、操作面３１ａの下部に配置された回転軸Ｂ１を中心として回動可能である。第一パネル３１は、さらに、第一パネル３１と第二パネル３２とを回動可能に接続する接続部を備えて構成されている。ここで、操作面３１ａの下辺に接する側面３１ｂは、第一パネル３１の裏面（操作面３１ａに対向する面）よりも数ｃｍ程度、原稿排出トレイ１３側に延びている。さらに、操作パネル２０の側面のうち、ＹＺ平面に平行な側面３１ｃおよび３１ｄの下側の一部が、第一パネル３１の裏面よりも数ｃｍ程度、原稿排出トレイ１３側に延びている。本実施の形態では、側面３１ｃおよび３１ｄの延長部分が接続部となっている。側面３１ｃおよび３１ｄの延長部分に、軸Ｂ１が設定されている。側面３１ｃおよび３１ｄには、軸Ｂ１を中心とする円形の孔が形成されている。操作面３１ａの構成は、実施の形態１の操作パネル２０の操作面２１の構成と同じである。
【００７０】
第二パネル３２は、原稿排出トレイ１３から排出方向に延びる板状部材で構成されている。第二パネル３２の排出方向の端部には、回転軸Ｂ１が配置されている。第二パネル３２は、ＹＺ平面に平行な側面３２ａに、円柱状部材で構成された回動部３２ｂが設けられている。回動部３２ｂは、底面が側面３２ａに接続されている。また、側面３２ａに対向する側面３２ｄに、円柱状部材で構成された回動部３２ｅが設けられている。回動部３２ｅは、底面が側面３２ｄに接続されている。第二パネル３２の表面は、支持面３２ｃを構成しており、第二姿勢において、第一パネル３１の裏面３１ｅに接する。裏面３１ｅは、図１０に示すように、操作面３１ａに対向する面である。
【００７１】
第二パネル３２の回動部３２ｂおよび３２ｅを、第一パネル３１の側面３１ｃおよび３１ｄに設けられた孔に嵌め込むことにより、第一パネル３１は、第二パネル３２に対し、軸Ｂ１を回転軸として回動可能に接続される。なお、第二パネル３２は、本実施の形態では、回動せず固定されている。
【００７２】
支持部材３３および３４は、第一パネル３１と第二パネル３２とを接続し、第一パネル３１を任意の姿勢で支持する。支持部材３３および３４により、第一姿勢と第二姿勢との間の任意の姿勢に第一パネル３１を維持できる。
【００７３】
［３−２．効果等］
本実施の形態の複合機１０Ｃは、図１０に示すように、原稿が原稿排出トレイ１３からはみ出した場合でも、第二パネル３２の支持面３２ｃまたは支持部材３３および３４が原稿に接して原稿を支持する。これにより、本実施の形態の複合機１０Ｃは、原稿の落下を良好に抑制できる。また、本実施の形態の複合機１０Ｃは、第二パネル３２の支持面３２ｃを利用して原稿排出トレイ１３からはみ出した原稿の先端を支持するので、延長トレイが必要なくなる。
【００７４】
（実施の形態４）
本実施の形態の画像形成装置について、図１１および図１２を基に説明する。本実施の形態では、実施の形態３と同様に、画像形成装置が複合機である場合を例に説明するが、これに限られるものではない。実施の形態３では、操作パネル３０が原稿排出トレイ１３に取り付けられている場合について説明したが、本実施の形態では、操作パネル３０が用紙排出トレイ１４に取り付けられている場合について説明する。
【００７５】
図１１および図１２は、本実施の形態における複合機１０Ｄの外観の一例を示す斜視図である。
【００７６】
複合機１０Ｄは、図１１および図１２に示すように、複数の用紙供給トレイ１５および操作パネル３０の位置が異なる点を除き、実施の形態３と同じ構成である。
【００７７】
複数の用紙供給トレイ１５は、操作パネル３０を操作するときの立ち位置において、用紙の供給が行えるように、操作パネル３０と同じ側に設けられている。本実施の形態では、複数の用紙供給トレイ１５は、複合機１０Ｄにおいて用紙の排出方向Ｄ２側に引き出せるように設けられている。
【００７８】
操作パネル３０は、上述したように、本実施の形態では、用紙の排出方向Ｄ２側に設けられている。操作パネル３０の各構成は、実施の形態３と同じである。
【００７９】
このように構成することにより、本実施の形態の複合機１０Ｄは、実施の形態３と同様に、操作パネル３０の第二パネル３２の支持面３２ｃが排出された用紙に当接するので、用紙の落下を良好に抑制できる。また、本実施の形態の複合機１０Ｄは、第二パネル３２の支持面３２ｃを利用して用紙排出トレイ１４からはみ出した用紙の先端を支持するので、延長トレイが必要なくなる。
【００８０】
（他の実施の形態等）
以上、本発明の実施の形態に係る画像形成装置について説明したが、本発明は、この実施の形態に限定されるものではない。
【００８１】
（１）例えば、上記実施の形態１〜４では、複合機１０Ａ〜１０Ｄが対象物を供給する供給トレイとして、原稿供給トレイ１２および用紙供給トレイ１５の２つを備える場合について説明したが、複数の供給トレイを備えていても構わない。同様に、上記実施の形態１〜４では、複合機１０Ａ〜１０Ｄが対象物を排出する排出トレイとして、原稿排出トレイ１３および用紙排出トレイ１４の２つを備える場合について説明したが、複数の排出トレイを備えていても構わない。
【００８２】
（２）実施の形態１〜４では、操作パネル２０が直方体である場合を例示したが、これに限るものではない。例えば、実施の形態１および実施の形態２において、操作パネル２０は、断面の形状が長方形ではなく、角丸四角形あるいは台形、曲線を有する形状等であっても構わない。実施の形態１および実施の形態２において、操作パネル２０の支持面２２は、曲面であっても構わない。
【００８３】
（３）実施の形態１〜４では、操作パネルを第一姿勢と第二姿勢との間で姿勢を変更可能に構成したが、姿勢変更を行わない構成にしても構わない。この場合は、操作パネルは、第一姿勢の状態で画像形成装置に設置される。
【００８４】
（４）さらに、上記実施の形態及び上記変形例をそれぞれ組み合わせるとしても良い。
【産業上の利用可能性】
【００８５】
上記実施の形態の画像形成装置は、複写機、スキャナ、あるいは、これらの機能を複数備えた複合機等に有用である。
【符号の説明】
【００８６】
１０Ａ、１０Ｂ、１０Ｃ、１０Ｄ  複合機
１１、１１１  ＡＤＦ部
１２、１１２  原稿供給トレイ
１３、１１３  原稿排出トレイ
１４、１１４  用紙排出トレイ
１５、１１５  用紙供給トレイ
１６    切り欠き部
１６ａ、１６ｂ、２３、２４、３１ｂ、３１ｃ、３１ｄ、３２ａ、３２ｄ  側面
１７ａ、１７ｂ  軸受部
１８ａ、１８ｂ  孔
１９ａ、１９ｂ  扇形スリット
２０、３０  操作パネル
２１、３１ａ  操作面
２２、３２ｃ  支持面
２５、２６、２７、２８、３２ｂ、３２ｅ  回動部
３１    第一パネル
３１ｅ  裏面
３２    第二パネル
３３、３４  支持部材
１００  複合機
【図１】
2016000636.tif 000003
【図２】
2016000636.tif 000004
【図３】
2016000636.tif 000005
【図４】
2016000636.tif 000006
【図５】
2016000636.tif 000007
【図６】
2016000636.tif 000008
【図７】
2016000636.tif 000009
【図８】
2016000636.tif 000010
【図９】
2016000636.tif 000011
【図１０】
2016000636.tif 000012
【図１１】
2016000636.tif 000013
【図１２】
2016000636.tif 000014
【図１３】
2016000636.tif 000015